【事件の表示】
　特願２０００−３７６８３１「皮膚外用剤」拒絶査定不服審判事件〔平成１４年　６月２６日出願公開、特開２００２−１７９５４９〕について、次のとおり審決する。
【結　論】
　本件審判の請求は、成り立たない。
【理　由】
第１　手続の経緯
　本願は、平成１２年１２月１２日の出願であって、平成２２年３月２３日付けの拒絶理由通知に対し、同年５月２０日付けで手続補正がなされるとともに意見書が提出されたが、平成２３年５月３１日付けで拒絶査定がなされ、これに対し、同年８月２３日に拒絶査定不服審判が請求されたものである。
　
第２　本願発明
　本願の請求項１に係る発明は、平成２２年５月２０日付け手続補正書の特許請求の範囲の請求項１に記載された事項により特定される次のとおりのものであると認められる（以下、「本願発明」という。）。
　
「【請求項１】
（Ａ）ビタミンＡ、（Ｂ）ヒノキチオール、並びに（Ｃ）表皮脂質成分であるステロール、スフィンゴ脂質及びグリセリドから選ばれた少なくとも一種以上の物質を含有することを特徴とする皮膚外用剤。」
　
第３　刊行物の記載事項及び刊行物１発明
１　原査定の拒絶の理由に引用された本出願日前に頒布された刊行物である「特開平６−３２７２８号公報」（原査定の引用文献１１。以下、「刊行物１」という。）には、次の事項が記載されている。
　なお、下線は、当審にて付したものである。以下、同様である。
　
（刊１−１）「【特許請求の範囲】
【請求項１】
ビタミンＡと抗炎症薬とを含有することを特徴とする皮膚外用剤
【請求項２】抗炎症薬がヒドロコルチゾン、・・・の中から選ばれる一種もしくは二種以上である請求項１記載の皮膚外用剤。」
　
（刊１−２）「【発明の詳細な説明】
【０００１】
【産業上の利用分野】本発明は皮膚外用剤に関し、さらに詳しくは
ビタミンＡと抗炎症薬を含有することによりビタミンＡのもつ肌荒れ改善効果を相乗的に向上させ安全性にも配慮した皮膚外用剤
【０００２】
【従来の技術】皮膚外用剤には種々の薬効成分が配合されている。その中で
皮膚の加齢、あるいは日光暴露等による変化を予防、改善する効果も薬効の一つであり、これらを目的とする化粧料等の皮膚外用剤が求められてきた
【０００３】こうした中で従来は、天然物から抽出した各種原料、例えばタンパク質、多糖、抽出エキス、天然高分子等がその使用効果が特徴的であるため皮膚外用剤に配合されてきた。
【０００４】
近年、ビタミンＡおよびその誘導体の中から選ばれる一種または二種以上を配合し、皮膚の加齢あるいは日光暴露による変化、あるいは障害を防止、改善する方法が開陳されている
　
（刊１−３）「【００１２】本発明に用いられる抗炎症薬の例を挙げると、ヒドロコルチゾン、酢酸ヒドロコルチゾン、プレドニゾロン、メチルプレドニゾロン、酢酸プレドニゾロン、酢酸プロピオン酸プレドニゾロン、デキサメタゾン、ベタメタゾン、トリアムシノロン、酪酸クロベタゾン、プロピオン酸クロベタゾール、フルオシノリド、酢酸デキサメタゾン、吉草酸ベタメタゾン、トリアムシノロンアセトニド、アスピリン、サリチル酸、アセトアミノフェン、サリチル酸メチル、サリチル酸グリコール、メフェナム酸、フルフェナム酸、インドメタシン、ジクロフェナック、ケトプロフェン、イブプロフェン、フルルビプロフェン、フェンブフェン、ブフェキサマック、ピロキシカム、オキシフェンブタゾン、メピリゾール、イブプロフェンピコノール、クリダナク、フェニルブタゾン、ナプロキセン、グリチルレチン、グリチルリチン、グリチルレチン酸およびその塩やエステル、グリチルレチン酸およびその塩やエステル、アズレン、カンフル、チモール、アラントイン等が挙げられ、これらの中から一種もしくは二種以上を任意に選択できる。」
　
２　原査定の拒絶の理由に引用された本出願日前に頒布された刊行物である「特開２０００−１９１４９８号公報」（原査定の引用文献５。以下、「刊行物２」という。）には、次の事項が記載されている。
　
（刊２−１）「【特許請求の範囲】
【請求項１】  甘草の葉より抽出された、皮膚の線維芽細胞によるコラーゲン産生を促進する作用を有する物質を含有することを特徴とする
コラーゲン産生促進剤
・・・
【請求項３】  請求項１または２に記載のコラーゲン産生促進剤を配合してなる
皮膚外用剤
　
（刊２−２）「【発明の詳細な説明】
【０００１】
【発明の属する技術分野】本発明は、人の皮膚の線維芽細胞によるコラーゲンの産生を活発化する作用を有し
皮膚の荒れ、シワ、弾性低下等を防止するのに有用なコラーゲン産生促進剤、およびそれを配合することにより皮膚の老化予防機能を付与した皮膚外用剤に関するもの
【０００２】
【従来の技術】近年、皮膚老化に関する研究が進んだ結果、
皮膚の老化には加齢による新陳代謝の減衰によるもののほかに、紫外線、乾燥、酸化等の作用が複雑に関与していることが確認されている
　
（刊２−３）「【００１７】本発明によるコラーゲン産生促進剤を配合する皮膚外用剤には、コラーゲン産生促進の妨げにならない限り、その皮膚外用剤の製造に通常使用される各種主剤および助剤を常法により配合することができる。また、ほかにも、甘草葉抽出物の効力を高めるのに有効な任意の助剤を含有させることができる。
【００１８】
本発明のコラーゲン産生促進剤と共に皮膚外用剤構成成分として利用可能なものの例
ヒノキチオール等の抗炎症作用物質
レチノール
ビタミンおよびその誘導体類
皮膚に対して何らかの好ましい作用を示すことが期待される植物抽出物、動物性抽出物
コレステロール類；植物ステロール類
【００１９】皮膚から吸収された本発明のコラーゲン産生促進剤は、コラーゲンの産生力を増強して繊維状コラーゲンからなる皮膚張力保持構造を良好な状態に保ち、それにより、
老化した皮膚のハリや弾力性を回復し、健康な肌も常に良好な状態に保つ
二次的な効果として、皮膚の保湿力を向上させ、肌荒れを改善する
　
３　原査定の拒絶の理由に引用された本出願日前に頒布された刊行物である「特開２０００−３２７５２５号公報」（原査定の引用文献４。以下、「刊行物３」という。）には、次の事項が記載されている。
　
（刊３−１）「【特許請求の範囲】
【請求項１】  次の成分（Ａ）及び（Ｂ）
（Ａ）カムカム抽出物
（Ｂ）
細胞賦活剤を含有することを特徴とする皮膚外用剤
【請求項２】  
細胞賦活剤が
ビタミンＡ及びその誘導体
【請求項３】  細胞賦活剤の含有量が、０．０００１〜５重量％である請求項２記載の皮膚外用剤。
【請求項４】  
細胞賦活剤が
ヒノキチオール
・・・
　
（刊３−２）「【発明の詳細な説明】
【０００１】
【発明の属する技術分野】本発明は、皮膚外用剤に関し、更に詳細には、カムカム抽出物と
細胞賦活剤を含有することにより、優れた皮膚老化防止や肌にはりやつやを与える
【０００２】
【従来の技術】
従来より
皮膚外用剤には、皮膚の老化防止や肌にはりやつやを与えることを目的として細胞賦活剤などの薬効成分が加えられている
【０００３】
【発明が解決しようとする課題】しかしながら、これらの細胞賦活剤を配合した皮膚外用剤では、薬効成分の効果が十分でなかったり、あるいは、薬効を得るのに十分な量を配合すると安定性に欠けたり使用感が損なわれる等、その改善が望まれていた。」
　
４　原査定の拒絶の理由に引用された本出願日前に頒布された刊行物である「特開２０００−３０９５２４号公報」（原査定の引用文献６。以下、「刊行物４」という。）には、次の事項が記載されている。
　
（刊４−１）「【特許請求の範囲】
【請求項１】  セドロール、セドレノール、ファルネソール、パチョリアルコール、ベチベロール及びα−ダマスコーンから選ばれる１種以上を含有する
浴用剤組成物
【請求項２】  更に
角質層含有脂質
　
（刊４−２）「【０００９】本発明浴用剤組成物には、前記成分に加えて
角質層含有脂質又はその類似物質を配合するのが、肌荒れやかさつきを改善する効果がより高められる
【００１０】本発明で用いる角質層含有脂質又はその類似物質としては、
天然セラミド、セラミド類似物質、ステロイド類
トリグリセリドといった角質層細胞間脂質
公知のタイプＩ〜タイプVII
　
５　刊行物１発明
　刊行物１には、前記（刊１−１）のとおり、「ビタミンＡと抗炎症薬とを含有することを特徴とする皮膚外用剤。」が記載され、「ビタミンＡと抗炎症薬を含有することによりビタミンＡのもつ肌荒れ改善効果を相乗的に向上させ安全性にも配慮した皮膚外用剤に関する。」、「皮膚外用剤には種々の薬効成分が配合されている。その中で皮膚の加齢、あるいは日光暴露等による変化を予防、改善する効果も薬効の一つであり、これらを目的とする化粧料等の皮膚外用剤が求められてきた。」、「近年、ビタミンＡおよびその誘導体の中から選ばれる一種または二種以上を配合し、皮膚の加齢あるいは日光暴露による変化、あるいは障害を防止、改善する方法が開陳されている。」と説明され（刊１−２）、「本発明に用いられる抗炎症薬の例を挙げると、ヒドロコルチゾン、・・・等が挙げられ、これらの中から一種もしくは二種以上を任意に選択できる。」とも説明されている（刊１−３）。
　これらによれば、刊行物１には、次の発明（以下、「刊行物１発明」という。）が記載されているということができる。
（刊行物１発明）：「ビタミンＡと抗炎症剤を含有する皮膚外用剤。」
　
第４　対比（本願発明と刊行物１発明の一致点・相違点）
　刊行物１発明の「ビタミンＡ」は、本願発明の「（Ａ）ビタミンＡ」に相当する。
　刊行物１発明の「抗炎症剤」は、前記（刊１−３）のとおり説明され、具体的な物質として、ヒドロコルチゾン等が例示されているが、その中に、本願発明の「（Ｂ）ヒノキチオ−ル」、「（Ｃ）表皮脂質成分であるステロール、スフィンゴ脂質及びグリセリド」に相当するものはない。
　したがって、本願発明と刊行物１発明との間には、次の一致点・相違点がある。
　
（一致点）：（Ａ）ビタミンＡを含有する皮膚外用剤。
　
（相違点）：（Ａ）ビタミンＡ以外の有効成分に関し、本願発明は「（Ｂ）ヒノキチオ−ル、並びに（Ｃ）表皮脂質成分であるステロール、スフィンゴ脂質及びグリセリドから選ばれた少なくとも一種以上の物質」を含有するのに対して、刊行物１発明は「抗炎症剤」を含有する点。
　
第５　判断（相違点についての検討）
ア　本願明細書の【発明の詳細な説明】には、次の記載がある。
「【０００１】
【発明の属する技術分野】  本発明は皮膚外用剤に関し、詳しくは皮膚の乾燥、あれ肌、皮膚のハリや弾力の低下に伴う小じわ等の形成予防および改善に有効な皮膚外用剤に関する。
【０００２】
【従来の技術】  皮膚の乾燥、あれ肌、皮膚のハリや弾力の低下に伴う小じわ等は、加齢や日光曝露に加え、皮膚の血行不良による栄養不十分、不規則な生活、あやまったお手入れ、また、寒冷や乾燥等の環境要因などによって起こる。そこで、皮膚の乾燥、あれ肌、小じわ等の予防・改善を目的とし、種々の薬効成分の開発が求められてきた。
【０００３】  
近年、レチノール、ビタミンＡ酸やその誘導体等によるしわ改善技術が、このような皮膚の乾燥、あれ肌、小じわ等の予防・改善を目的とし使用されているが、その小じわ等の改善効果はいまだ十分とはいえない
・・・
【０００５】
【発明が解決しようとする課題】  したがって、
本発明の目的は皮膚の乾燥、あれ肌、皮膚のハリや弾力の低下に伴う小じわ等の発生を予防又は改善することのできる皮膚外用剤を提供することにある
・・・
【０００８】  本発明に用いられる
ビタミンＡ
通常、皮膚角化症等の予防や治療、さらには皮膚老化、特にしわ等の防止や回復に有効な成分として利用されている化合物の総称
・・・
【００１０】  本発明に用いられるヒノキチオールとはβ―ツヤプリシンとも呼ばれるトロポロン化合物で、天然には青森ヒバや台湾ヒノキの精油から抽出される成分である。
ヒノキチオールは天然、合成に関わらず、通常、医薬品、化粧品等の分野で殺菌剤、細胞賦活剤等として幅広く利用されている化合物である
・・・
【００１２】  本発明に用いられる
表皮脂質とは、皮膚に存在する脂質の総称であり、通常、医薬品、化粧品等の分野で基剤、エモリエント剤として幅広く利用されている成分
ステロール
スフィンゴ脂質
グリセライド
【００１３】  また、ステロール類としては、コレステロール、デヒドロコレステロール、エルゴステロール、シトステロール、カンペステロール、スチグマステロール、ブラシカステロール、フコステロール等、誘導体としてはそのエステル等が挙げられる。
【００１４】  また、スフィンゴ脂質としては、スフィンゴシン、スフィンゴミエリン、スフィンゴ糖脂質、セレブロシド、フィトスフィンゴシン、セラミド１、
セラミド２
【００１５】  また、リン脂質としては、フォスファチジルコリン、リゾフォスファチジルコリン、フォスファチジルエタノールアミン、フォスファチジルイノシトール等とその誘導体が挙げられる。
【００１６】  また、グリセリドとしてはモノグリセリド、ジグリセリド、トリグリセリド等、動植物由来の油脂類とその誘導体が挙げられる。」
　
イ　これらによれば、本願発明は、「皮膚の乾燥、あれ肌、皮膚のハリや弾力の低下に伴う小じわ等の発生を予防又は改善することのできる皮膚外用剤を提供すること」を目的としてなされたものであり、皮膚の乾燥、あれ肌、小じわ等の予防・改善のためにすでに使用されている「ビタミンＡ」（以下、「成分Ａ」という。）のみならず、「ヒノキチオ−ル」（以下、「成分Ｂ」という。）と「表皮脂質成分であるステロール、スフィンゴ脂質及びグリセリドから選ばれた少なくとも一種以上の物質」（以下、「成分Ｃ」という。）をも含有する皮膚外用剤を提供するものである。そして、その成分Ｂと成分Ｃは、いずれも、化粧品の分野では幅広く利用されている化合物であり、通常、成分Ｂは、殺菌剤、細胞賦活剤等として、また、成分Ｃは、基剤、エモリエント剤として、それぞれ、化粧品の分野において普通に用いられているものである。
　
ウ　そこで、まず、成分Ｂについて検討する。
　刊行物３には、皮膚の老化防止や肌にはりやつやを与えることを目的として加えられる細胞賦活剤を含有する皮膚外用剤が記載されており、その細胞賦活剤として、ビタミンＡ、ヒノキチオールが例示されている（刊３−１(特に請求項２，４)）（刊３−２）。
　他方、化粧品分野において、ヒノキチオールは、皮膚外用剤に配合される抗炎症剤としても周知である（要すれば、美白有効成分の改良に関する発明が記載された特開平７−１９６４４３号公報の段落【００１１】を参照。）。例えば、刊行物２においても、「人の皮膚の繊維芽細胞によるコラーゲンの産生を活発化する作用を有し皮膚の荒れ、シワ、弾力低下等を防止するのに有効なコラーゲン産生促進剤」と併用する「皮膚外用剤構成成分として利用可能なものの例」として、「ヒノキチオール等の抗炎症作用物質」が記載されている（刊２−２），（刊２−３）。しかも、ここでは、並列的に、「レチノール、・・・等のビタミンおよびその誘導体類」、すなわち、成分Ａや、「皮膚に対して何らかの好ましい作用を示すことが期待される植物抽出物、動物性抽出物」、「コレステロール類；植物ステロール類」、すなわち成分Ｃの記載もある。
　そして、刊行物２のコラーゲン産生促進剤は、前記のとおり、皮膚の荒れ、シワ、弾性低下等を防止する皮膚外用剤、皮膚の老化予防機能を付与した皮膚外用剤に関するものであり（刊２−２）、刊行物３の皮膚外用剤も、優れた皮膚老化防止や肌にはりやつやを与える皮膚外用剤に関するものである（刊３−２）から、アプローチはともかく、その目指すところは同じであり、ヒノキチオールが配合される皮膚外用剤の発明として共通するということができる。ちなみに、本願発明の皮膚外用剤とも目指すところは同じであるということもできる。
　そうすると、「ビタミンＡのもつ肌荒れ改善効果を相乗的に向上させ安全性にも配慮した皮膚外用剤」である刊行物１発明において、ビタミンＡと併用する成分として、化粧品分野において、特に、皮膚外用剤において、抗炎症剤としても周知の成分であるヒノキチオールを採用することに関しては、ヒノキチオールが、刊行物１に抗炎症剤としての例示はないものの、コラーゲン産生促進剤において、抗炎症剤として配合され、レチノール（成分Ａ）や植物ステロール（成分Ｃ）とも併用され、皮膚の荒れ、シワ、弾性低下等を防止し、皮膚の老化予防機能を付与する皮膚外用剤を構成する例が知られており、また、細胞賦活剤として、ビタミンＡ（成分Ａ）と並んで示され、優れた皮膚老化防止や肌にはりやつやを与える皮膚外用剤を構成する成分として使用される例も知られている以上、当業者が想到するに動機付けはあるというべきである。
　
エ　次に、続けて成分Ｃについて検討する。
　刊行物４には、浴用剤組成物としてではあるが、
角質層含有脂質
肌荒れやかさつきを改善する効果をより高めるために配合されるもの
セラミド
ステロイド
トリグリセリド
公知のタイプＩ〜タイプVII
　ここで、角質層は、皮膚構造上、表皮に存在するとの技術常識に照らすならば、刊行物４に記載された前記「角質層含有脂質」は、本願発明の「（Ｃ）表皮脂質成分」であるということができ、また、刊行物４に記載されたステロイド類、セラミド、トリグリセリドは、各々、本願発明の成分Ｃのステロール、スフィンゴ脂質、グリセリドに対応する成分であり、「肌荒れやかさつきを改善する効果をより高めるために配合される」成分として、当業者が適宜採用し得る成分であるということができる。
　そして、皮膚外用剤において、刊行物４に記載されたステロイド類、セラミド、トリグリセリドを配合する点については、例えば、刊行物２においても、コラーゲン産生促進剤と併用する「皮膚外用剤構成成分として利用可能なものの例」として、成分Ｂに相当する「ヒノキチオール等の抗炎症作用物質」、成分Ａに相当する「レチノール、・・・等のビタミン」とともに、「皮膚に対して何らかの好ましい作用を示すことが期待される植物抽出物、動物性抽出物」、「コレステロール類；植物ステロール類」と記載されている（刊２−３）から、成分Ａ，Ｂ，Ｃを併用することは、刊行物２に示唆されているということができる。
　しかも、刊行物４に記載されたステロイド類、セラミド、トリグリセリドは、浴用剤組成物の成分としてではあるが、「肌荒れやかさつきを改善する効果をより高めるために配合される」成分であり、剤型は相違するが、その目指すところは、肌質の改善という点で同じであり、そもそもヒトの皮膚の角質層に含有される脂質成分であるから、皮膚の健康状態を維持するために、表皮に存在するべき成分としてこれを補うべく、皮膚外用剤にこの成分を配合することは、当業者が想到するに難くないところである。
　
オ　成分Ａ，Ｂ，Ｃを併用する効果について検討する。
　本願明細書において、成分Ａ，Ｂ，Ｃを併用した実施例を確認すると、成分Ａとしてのパルミチン酸レチノール、成分Ｂとしてのヒノキチオール、成分Ｃとしてのステロールであるフィトステロール、成分Ｃとしてのスフィンゴ脂質であるセラミドＩＩ、成分Ｃとしてのグリセライドであるメドフォーム油の全てを含有する態様は記載されているが、成分の配合に関しては、この５つを含有する態様が唯一の実施例（実施例１，２）であり、特に、成分Ｃについて、これら３つのうちの１つ、あるいは、２つのみを配合した場合、例えば、フィトステロールとセラミドＩＩを配合せず、成分Ａ，Ｂとメドフォームだけを配合した場合の効果は、その顕著性が必ずしも明確でない。
　また、「２ヶ月間の実使用試験」に関して、「皮膚の乾燥、小じわ等の症状を顕著に呈する３０代後半〜５０代の女性２０名」からなるパネラーに対して、実施例２、比較例８〜１０の４種の皮膚外用剤を、どのように使い分けたのか、明確でない。「１日朝、晩２回、２ヶ月間使用」して皮膚の状況を評価したと説明されているが、例えば、「小じわ」の実施例２について、「改善」が「２」、「やや改善」が「１８」、「変化なし」が「０」との結果が示されているが、これは、２０名のパネラー全員に実施例２の皮膚外用剤を適用したからこそ得られる結果であり、比較例８〜１０の結果を同じ２ヶ月間でどのようにして得たのか、必ずしも明確でない。
　さらには、「あれ肌改善試験方法」に関しても、「人の前腕部（３ｃｍ×３ｃｍ）」において６時間をかけて「あれ肌モデルを作成する。」と説明されているが、実施例１、比較例１〜７、未塗布部を含めた９種類の肌モデルを１人の片腕で作成したのか、両腕で実施したのか、１人ではないのか、仮に、１人の片腕で実施した場合に、部位（腕の内側と外側）による有意差はないのか、必ずしも明確でない。
　本願明細書における効果に関する記載は、前記のとおり、不明確なところがあるが、成分Ａ，Ｂ，Ｃを併用した実施例１，２が記載されているので、以下では、その開示された内容の範囲内で、本願発明の効果を検討する。
　前記ウ、エで言及したとおり、成分Ｂは、刊行物３においては、皮膚の老化防止や肌にはりやつやを与えることを目的として加えられる細胞賦活剤として、ビタミンＡとともに例示されているほか、刊行物２においては、人の皮膚の繊維芽細胞によるコラーゲンの産生を活発化する作用を有し皮膚の荒れ、シワ、弾力低下等を防止するのに有効なコラーゲン産生促進剤と併用する抗炎症剤として、成分Ａ、成分Ｃと並列的に例示されている。そして、そもそも、成分Ｂは、化粧品の分野において、皮膚外用剤に配合される抗炎症剤としても周知である（特開平７−１９６４４３号公報【００１１】）。
　したがって、成分Ａのもつ「肌荒れ改善効果を相乗的に向上させ安全性にも配慮した皮膚外用剤」である刊行物１発明において、細胞賦活剤あるいは抗炎症剤として知られる成分Ｂを配合し、併せて、角質層含有脂質である成分Ｃを配合することによって、皮膚の乾燥、あれ肌、皮膚のハリや弾力の低下に伴う小じわ等の発生の予防又は改善を図ることができることは、成分Ａ，Ｂ，Ｃのそれぞれに知られた効能から相加的な効果として当業者において普通に予測されるところである。例えば、比較例３，４と比較例５の結果を対比してみると、成分Ａ〜ＣのうちのＡのみを含有する比較例３、あるいは、Ｂのみを含有する比較例４よりも、成分Ａ及びＢを含有する比較例５の方が「あれ肌改善試験結果２」の数値が上がっており、さらに成分Ｃも含有する実施例１は、より数値が上がっているという結果が出ているし、比較例２と比較例６の結果を対比してみても、成分Ｃのみを含有する比較例２よりも成分Ｂ及びＣを含有する比較例６や、成分Ａ及びＣを含有する比較例７がより数値が高いという結果が出ているように、成分Ａ，Ｂ，Ｃの併用については、１成分より２成分、２成分より３成分と、その配合される成分数が増えれば数値もより改善するという、予想どおりの効果の方向性が示されているにとどまる。
　なお、むしろ、予想外であるとすれば、成分Ａ，Ｂ，Ｃは、それぞれ有効成分として配合されてきたものであるにもかかわらず、いずれか１つないし２つを配合した比較例２〜７よりも、全く配合しない比較例１の方が、「あれ肌改善試験結果２」の数値が高いこと（成分Ａについてみれば、刊行物１発明においても、肌荒れ改善効果が十分ではないとはいえ、有効成分となっているにもかかわらず、これを含有する比較例４，５，７よりも、含有しない比較例１の方が、「あれ肌改善試験結果２」の数値が高いこと）である。
　以上のような実施例と比較例から、成分Ａ，Ｂ，Ｃを併用することにより予測を超えた相乗効果があると認めることはできないというほかない。
　
カ　以上ア〜オを総合すれば、成分Ａを含有する刊行物１発明に、刊行物２，３に記載された成分Ｂと、刊行物４に記載された成分Ｃを配合することは、当業者が容易に想到し得ることであるというべきである。
　
第６　むすび
　以上のとおり、本願発明は、刊行物１〜４に記載された事項及び周知の事項に基づいて、当業者が容易に発明をすることができたものであるから、特許法第２９条第２項の規定により特許を受けることができない。